(57)【要約】【課題】複数の映像表示装置に映像情報を表示させるに際し、映像データの変更作業等が容易となる、簡易でコストのかからない映像表示システムを提供する。【解決手段】映像データＣ１〜ＣＮを作成・記憶するＰＣ１と、当該映像データＣ１〜ＣＮに基づく映像情報を表示する複数の表示部Ｄ１〜ＤＮと、映像データＣ１〜ＣＮを処理し表示部Ｄ１〜ＤＮに表示させるための画像データＭ１〜ＭＮとして送出する表示コントローラ２とを有する映像表示システムにおいて、当該表示コントローラ１は、画像データＭ１〜ＭＮを記憶する画像メモリ部２ｂと、表示部Ｄ１〜ＤＮに対して画像データＭ１〜ＭＮを送出する複数の送出部２ｃ１〜２ｃｎと、領域指定部２ｅの指定に従って画像メモリ部２ｂから画像データＭ１〜ＭＮを抽出し、送出部２ｃ１〜２ｃｎに対して当該抽出した画像データＭ１〜ＭＮを送出する画像データ抽出部２ｄとを備えている。【選択図】        図１
2004205756.tif 000002
【特許請求の範囲】
【請求項１】
映像情報を表示する複数の表示部と、前記表示部に表示させるための映像データを作成し、記憶するコンピュータ装置と、前記コンピュータ装置に記憶されている前記映像データを処理し、前記表示部に表示させるための画像データとして送出する表示コントローラとを、有する映像表示システムにおいて、
前記表示コントローラは、
前記画像データを記憶する画像メモリ部と、
前記画像データを前記表示部に対して送出する複数の送出部と、
前記画像メモリ部上の任意の領域を指定する領域指定部と、
前記領域指定部の指定に従い前記画像メモリ部から前記画像データを抽出し、当該抽出した画像データを前記複数の送出部へ出力する画像データ抽出部とを、備えることを特徴とする映像表示システム。
【請求項２】
前記画像メモリ部には、複数の前記画像データが記憶されており、
前記領域指定部には、前記画像メモリ部上の任意の複数の領域が指定され、
前記画像データ抽出部は、前記領域指定部の指定に従って前記画像メモリ部に記憶されている各画像データを個別に抽出し、当該抽出された各画像データを前記各送出部へとそれぞれ出力する、
ことを特徴とする請求項１に記載の映像表示システム。
【請求項３】
前記複数の表示部により一の表示画面が構成されている、
ことを特徴とする請求項２に記載の映像表示システム。
【請求項４】
前記一の表示画面は、前記複数の表示部を水平方向に連結させることにより形成される横長スクリーンである、
ことを特徴とする請求項３に記載の映像表示システム。
【請求項５】
前記一の表示画面は、前記複数の表示部を垂直方向に連結させることにより形成される縦長スクリーンである、
ことを特徴とする請求項３に記載の映像表示システム。
【請求項６】
前記画像データ抽出部は、抽出した同一の画像データを前記複数の送出部へ出力する、
ことを特徴とする請求項１に記載の映像表示システム。
【発明の詳細な説明】
【０００１】
【発明の属する技術分野】
この発明は、映像表示システムに係る発明であって、例えば、パーソナルコンピュータ等に記憶されている映像データを大型表示装置に表示させるシステムとして適用することができる。
【０００２】
【従来の技術】
最近、街中において、静止画、文字および動画等の映像情報を表示する映像表示装置を良く見かける。また、施設の使用用途や規模に合わせて、様々なサイズの映像表示装置が１つの施設内に複数設置されていることもある。
【０００３】
例えば、野球場においては、大型の映像表示装置がバックスタンドに設置されており、当該大型映像表示装置に選手のプレーの様子やイベントのアニメーション等の表示を行うことにより、試合の臨場感を高めており、これとは別に、スコアデータなどの表示を行うために、小型の映像表示装置がバックネット側に設置されている。
【０００４】
他の例として、高層ビル等においては、様々なコマーシャル表示を行うために大型の映像表示装置が広告用として屋上に設置されており、これとは別に、ニュース等の文字情報を表示するために、当該ビル壁面に縦長あるいは横長型の映像表示装置が設置されている（例えば、特許文献１、特許文献２参照）。
【０００５】
【特許文献１】
特開昭６０−２４７２２２号公報（第２項等）
【特許文献２】
特開昭５９−１９３６８５号公報（第１図等）
【０００６】
【発明が解決しようとする課題】
しかし、上記映像表示装置を備える、従来の映像表示システムにおいては、一台の映像表示装置につき、映像データを作成・記憶する一台のパーソナルコンピュータ装置（以下、ＰＣと称す）と、ＰＣ−映像表示装置間において、映像表示装置に表示させるための映像データの表示制御を行う一台の表示コントローラとが必要であった。
【０００７】
したがって、上記のように、１つの施設内に複数の映像表示装置を設けた場合には、その数に応じた台数のＰＣと表示コントローラを当該施設にて用意する必要があり、コスト高となっていた。
【０００８】
また、複数台の映像表示装置に映像情報を表示させるための映像データは、各ＰＣに記憶されているので、例えば当該映像情報を変更する場合には、各ＰＣに対して変更操作を施す必要があり、非効率であった。
【０００９】
前記場合において、一台のメインとなるＰＣを用意し、当該メインＰＣにより他の複数台のＰＣを制御することも可能であるが、それには、各ＰＣ同士をＬＡＮ（Ｌｏｃａｌ  Ａｒｅａ  Ｎｅｔｗｏｒｋ）等の通信手段により接続させる必要があった。
【００１０】
しかし、この場合においても、ＬＡＮ接続されたＰＣ同士を制御するためのソフトウエアとして、複雑なものを作成しなければならなかったため、実用的でなかった。
【００１１】
そこで、この発明は、複数の映像表示装置に映像情報を表示させるに際し、映像データの変更作業等が容易となる、簡易でコストのかからない映像表示システムを提供することを目的とする。
【００１２】
【課題を解決するための手段】
上記の目的を達成するために、本発明に係る請求項１に記載の映像表示システムは、映像情報を表示する複数の表示部と、前記表示部に表示させるための映像データを作成し、記憶するコンピュータ装置と、前記コンピュータ装置に記憶されている前記映像データを処理し、前記表示部に表示させるための画像データとして送出する表示コントローラとを、有する映像表示システムにおいて、前記表示コントローラは、前記画像データを記憶する画像メモリ部と、前記画像データを前記表示部に対して送出する複数の送出部と、前記画像メモリ部上の任意の領域を指定する領域指定部と、前記領域指定部の指定に従い前記画像メモリ部から前記画像データを抽出し、当該抽出した画像データを前記複数の送出部へ出力する画像データ抽出部とを、備えている。
【００１３】
【発明の実施の形態】
本発明に係る映像表示システムは、一台のＰＣ、一台の表示コントローラおよび複数の表示部により構成されており、当該表示コントローラには、画像メモリ部、領域指定部、画像データ抽出部および複数の送出部が設けられている。
【００１４】
以下、この発明をその実施の形態を示す図面に基づいて具体的に説明する。
【００１５】
＜実施の形態１＞
図１は、実施の形態１に係る映像表示システムの概略を示す図である。
【００１６】
ここで、映像データＣ１〜ＣＮは、ＰＣ１に記憶されている静止画（人物や建築物の写真等）、文字情報（ニュースや各種イベント情報等）、動画（アニメーションやビデオ映像）などの映像情報である。
【００１７】
以下、図１を参照しながら本実施の形態に係る映像表示システムの動作について説明する。
【００１８】
はじめに、例えば外部機器（ビデオ装置やカメラ等）に納められている映像情報を、Ａ／Ｄ変換器に通した後に、ＰＣ１のメモリに映像データＣ１〜ＣＮとして記憶する。または、ＰＣ１内で作成した映像情報をそのままＰＣ１のメモリに映像データＣ１〜ＣＮとして記憶させることもできる。
【００１９】
ここで、各映像データＣ１〜ＣＮの形状は、対応する表示部Ｄ１〜ＤＮの形状と相似形になるように作成される。例えば、映像データＣ１と表示部Ｄ１とは相似形であり、映像データＣ２と表示部Ｄ２とは相似形である。
【００２０】
上記のように各映像データＣ１〜ＣＮの形状と表示部Ｄ１〜ＤＮの形状とを相似形とするのは、例えば、３：４表示のＰＣ１の画面全体で表示される映像データを、相似形でない３：６００表示の超横長表示部Ｄ１で全面表示させると、図２のように、画像が拉げてしまうからである。
【００２１】
さて次に、ＰＣ１にて作成・記憶された映像データＣ１〜ＣＮを、当該ＰＣ１にてアナログＲＧＢ信号やＤＶＩ（Ｄｉｇｉｔａｌ  Ｖｉｓｕａｌ  Ｉｎｔｅｒｆａｃｅ）信号などの各種映像信号用のフォーマットに変換した後に、表示コントローラ２へ伝送する。
【００２２】
さて、表示コントローラ２へ伝送された映像信号は、当該表示コントローラ２内に設けられたサンプリング部２ａにおいて、表１に示すようなＰＣ１の表示解像度と表示部Ｄ１〜ＤＮ（表示コントローラ２において、表示部Ｄ１〜ＤＮに応じて予め設定される）の表示解像度とから決められるサンプリング周波数により、逐一サンプリングされる。
【００２３】
【表１】
2004205756.tif 000003
【００２４】
次に、サンプリングされた映像信号は、同じく表示コントローラ２内に設けられている画像メモリ部２ｂへ画像データＭ１〜ＭＮとして記憶される。ここで、画像データＭ１〜ＭＮは、ＰＣ１上における一画面分の映像データＣ１〜ＣＮに対応するデータである。
【００２５】
ここで、図３で示すように映像データＣ１〜ＣＮが、静止画データを時間軸ｔ方向に例えば１／６０秒間隔で配列して構成される、動画映像データである場合には、当該画像メモリ部２ｂを１／６０秒ごとに新しい画像データへと更新させる必要がある。
【００２６】
次に、画像データ抽出部２ｄでは、領域指定部２ｅにより指定された領域区分に従って、画像メモリ部２ｂから画像データＭ１〜ＭＮをそれぞれ抽出し、当該抽出した各画像データＭ１〜ＭＮを対応する各送出部２ｃ１〜２ｃｎに向けて出力する。
【００２７】
最後に、画像データＭ１〜ＭＮを受け取った送出部２ｃ１〜２ｃｎは、表示部Ｄ１〜ＤＮに対して当該画像データＭ１〜ＭＮをそれぞれ送出する。
【００２８】
こうすることにより、最終的に各表示部Ｄ１〜ＤＮでは、映像データＣ１〜ＣＮに基づいた映像情報が表示される。
【００２９】
以上が、本実施の形態に係る映像表示システム全体の動作の流れである。
【００３０】
以下に、表示コントローラ２の具体的な動作について説明する。
【００３１】
なお、各映像データＣ１〜ＣＮは、表示開始アドレス（ＸＰ１，ＹＰ１）〜（ＸＰＮ，ＹＰＮ）を基点に、表示高さＨＰ１〜ＨＰＮ、表示長さＷＰ１〜ＷＰＮのサイズで、ＰＣ１において作成・記憶されているものとする。
【００３２】
例えば、映像データＣ１は、ＰＣ上の表示開始アドレス（ＸＰ１，ＹＰ１）を基点に、表示高さＨＰ１、表示長さＷＰ１のサイズで作成・記憶されている。映像データＣ１〜ＣＮに対するアドレスや各サイズを、表２に示す。
【００３３】
【表２】
2004205756.tif 000004
【００３４】
なお、表示コントローラ２の領域指定部２ｅには、ＰＣ１で設定された各領域に対応する抽出開始アドレス（ＸＭ１，ＹＭ１）〜（ＸＭＮ，ＹＭＮ）、および当該抽出アドレスを基点とした各表示サイズＨＭ１〜ＨＭＮ，ＷＭ１〜ＷＭＮを設定しておく。
【００３５】
当該設定の方法として、例えば、ユーザが映像データＣ１〜ＣＮの表示開始アドレス（ＸＰ１，ＹＰ１）〜（ＸＰＮ，ＹＰＮ）や各表示サイズＨＰ１〜ＨＰＮ，ＷＰ１〜ＷＰＮの値を入力する方法がある。
【００３６】
ユーザが上記の入力設定処理を行うと、領域指定部２ｅは自動的に、入力された値を予め備えている変換表に基づいて、抽出開始アドレス（ＸＭ１，ＹＭ１）〜（ＸＭＮ，ＹＭＮ）、および表示サイズＨＭ１〜ＨＭＮ，ＷＭ１〜ＷＭＮに変換する。
【００３７】
なお、別の設定の方法として、領域指定部２ｅが上記変換表を持たずにユーザが直接、当該領域指定部２ｅに抽出開始アドレス（ＸＭ１，ＹＭ１）〜（ＸＭＮ，ＹＭＮ）および各表示サイズＨＭ１〜ＨＭＮ，ＷＭ１〜ＷＭＮを入力する方法を採用してもかまわない。
【００３８】
さて、ＰＣ１にて、上記アドレス・サイズで記憶されている映像データＣ１〜ＣＮが表示コントローラ２へと送出され、サンプリング部２ａによりサンプリングされた後に、画像メモリ部２ｂにおいて、表２に示すアドレス・サイズの画像データＭ１〜ＭＮとして記憶される。
【００３９】
例えば画像データＭ１は、画像メモリ部２ｂの抽出開始アドレス（ＸＭ１，ＹＭ１）を基点に、表示高さＨＭ１、表示長さＷＭ１のサイズで記憶され、画像データＭＮは、画像メモリ部２ｂの抽出開始アドレス（ＸＭＮ，ＹＭＮ）を基点に、表示高さＨＭＮ、表示長さＷＭＮのサイズで記憶される。
【００４０】
次に、画像データ抽出部２ｄにより、画像メモリ部２ｂから画像データＭ１〜ＭＮを抽出する。
【００４１】
すなわち、画像データ抽出部２ｄでは、前記領域指定部２ｅでの設定に従って画像データＭ１〜ＭＮを抽出し、当該抽出した画像データＭ１〜ＭＮを対応する各送出部２ｃ１〜２ｃｎへ向けて出力する。例えば、画像メモリ部２ｂに記憶されている画像データＭ１は、抽出開始アドレス（ＸＭ１，ＹＭ１）を基点に、表示高さＨＭ１、表示長さＷＭ１のサイズで抽出が行われ、その後、送出部２ｃ１へと送出される。
【００４２】
なお、画像データ抽出部２ｄは、表示コントローラ２内で図１のように一つでも良いし、表示部Ｄ１〜ＤＮの個数と同数のものを設置しても良い。
【００４３】
画像データ抽出部２ｄが一つの場合には、当該画像データ抽出部２ｄは、逐次画像メモリ部２ｂから領域指定部２ｅで指定された複数の領域区分（今の場合Ｎ個）、すなわち、抽出開始アドレス（ＸＭ１，ＹＭ１）〜（ＸＭＮ，ＹＭＮ）を基点とする表示サイズＨＭ１〜ＨＭＮ，ＷＭ１〜ＷＭＮで指定された領域区分で抽出を行い、個別に当該抽出された画像データＭ１〜ＭＮを送出部２ｃ１〜２ｃｎに送出する。
【００４４】
これに対して、画像データ抽出部２ｄを複数設置した場合には、それぞれの画像データ抽出部２ｄが同時に、領域指定部２ｅにより指定された領域区分に従って画像メモリ部２ｂから画像データＭ１〜ＭＮの抽出を行い、同時に当該抽出された画像データＭ１〜ＭＮを送出部２ｃ１〜２ｃｎに出力する。
【００４５】
さて、上記までの処理により、送出部２ｃ１〜２ｃｎが画像データＭ１〜ＭＮを受け取ると、当該送出部２ｃ１〜２ｃｎは表示部Ｄ１〜ＤＮに対して当該画像データＭ１〜ＭＮの送出を行い、表示部Ｄ１〜ＤＮでは、映像データＣ１〜ＣＮに基づいた全面表示がなされる。
【００４６】
したがって、一台のＰＣ１において、例えば映像データＣ１として人物の写真、映像データＣ２として野球のスコア、映像データＣ３としてニュースの文字情報を作成・記憶することにより、これらの映像データが対応する表示部、この場合、表示部Ｄ１に人物の写真、表示部Ｄ２に野球のスコア、表示部Ｄ３にニュースの文字情報が映像情報として表示される。
【００４７】
ここで、サンプリング部２ａによるサンプリングから画像データＭ１〜ＭＮを表示部Ｄ１〜ＤＮに送出するまでの処理を一周期とし、当該周期を図３に示したＰＣ１上の映像データＣ１〜ＣＮの更新と同期させて繰り返し行うことで、表示部Ｄ１〜ＤＮにおいて動的な映像情報の表示が可能となる。
【００４８】
以上が、表示コントローラ２の詳細な動作である。
【００４９】
以上の説明より分かるように、本実施の形態に係る映像表示システムでは、領域指定部２ｅで指定された領域区分に従って、画像メモリ部２ｂから画像データＭ１〜ＭＮを抽出し、当該抽出した画像データＭ１〜ＭＮを送出部２ｃ１〜２ｃｎへと振り分ける画像データ抽出部２ｄを備えているので、一台のＰＣと一台の表示コントローラにより、あらゆる形状の複数の表示部に映像情報を同時に表示させることができる。
【００５０】
したがって、映像データＣ１〜ＣＮのＰＣ１での一元管理が可能となり、映像データの変更作業等が容易となる。さらに、余分なＰＣ１やネットワーク等を構築する必要がないので、簡易でコストのかからない映像表示システムを提供することが可能となる。
【００５１】
＜実施の形態２＞
図４は、実施の形態２に係る映像表示システムの概略を示す図である。
【００５２】
図４において、ＰＣ１には、水平方向に短冊状に配置された映像データＣ１〜ＣＮが作成・記憶されている。ここで、各映像データＣ１〜ＣＮの表示開始アドレスは（ＸＰ１，ＹＰ１）〜（ＸＰ１，ＹＰＮ）であり、当該映像データＣ１〜ＣＮは当該表示開始アドレスを基点として、表示高さＨＰ１、表示長さＷＰ１のサイズでそれぞれ記憶されている。
【００５３】
また、本実施の形態では、同一形状・サイズの表示部Ｄ１〜ＤＮを水平方向に連続して連結することにより、一の横長スクリーンＤＷを構成している。ここで、各映像データＣ１〜ＣＮの形は、対応する表示部Ｄ１〜ＤＮの形と相似形になるように作成される。例えば、映像データＣ１と表示部Ｄ１とは相似形であり、映像データＣ２と表示部Ｄ２とは相似形である。
【００５４】
例えば、図５で示すように、縦方向に３２ピクセル、横方向に１０２４ピクセル（ここで、３個の発光ダイオード素子により１ピクセルが構成されており、１ピクセル間の間隔は２５ｍｍである）の表示解像度の表示部Ｄ１〜ＤＮを採用し、ＰＣ１の表示解像度が表１のＸＧＡの場合では、ＰＣ１の表示解像度は横１０２４ピクセル、縦７６８ピクセルであるので、３２ピクセルずつ水平方向へ短冊状に切り出すと、２４個の短冊状の領域がＰＣ１上に生成される。
【００５５】
したがって、当該２４個の短冊状の領域に記憶される映像データＣ１〜Ｃ２４を、一の横長スクリーンＤＷで表示させるためには、上記表示解像度の表示部Ｄ１〜Ｄ２４が２４個必要なる。つまり、横幅約６１４（１０２４×２４×０．０２５）ｍの超横長スクリーンが構成されるのである。
【００５６】
本実施の形態に係る映像表示システムでは、例えば上記超横長スクリ−ンにおける映像情報の表示を１台のＰＣ１にて制御することが可能となる。
【００５７】
以下、図４に示したシステム構成図を参照しながら、本実施の形態に係る映像表示システムの動作について具体的に説明する。
【００５８】
なお、予め領域指定部２ｅにおいて、抽出処理を行う位置およびサイズを入力することにより、画像メモリ部２ｂの抽出領域区分の指定を行う。
【００５９】
上記、表示開始アドレス、各表示サイズで水平方向に短冊状に作成・記憶されている映像データＣ１〜ＣＮは、ＰＣ１においてアナログＲＧＢ信号やＤＶＩ信号などの各種映像信号用のフォーマットに変換され、その後、表示コントローラ２へ伝送される。
【００６０】
さて、表示コントローラ２へ伝送された映像信号は、当該表示コントローラ２内に設けられたサンプリング部２ａにおいて、表１に示すようなＰＣ１の表示解像度と表示部Ｄ１〜ＤＮ（表示コントローラ２において、表示部Ｄ１〜ＤＮに応じて予め設定される）の表示解像度とから決められるサンプリング周波数により、逐一サンプリングされる。
【００６１】
次に、サンプリングされた映像信号は、同じく表示コントローラ２内に設けられた画像メモリ部２ｂへ、画像データＭ１〜ＭＮとして水平方向に短冊状に記憶される。ここで、画像データＭ１〜ＭＮは、ＰＣ１上における一画面分の映像データＣ１〜ＣＮと対応している。
【００６２】
画像データＭ１は、画像メモリ部２ｂの抽出開始アドレス（ＸＭ１，ＹＭ１）を基点に、表示高さＨＭ１、表示長さＷＭ１のサイズで記憶され、画像データＭ２は、画像メモリ部２ｂの抽出開始アドレス（ＸＭ１，ＹＭ２）を基点に、表示高さＨＭ１、表示長さＷＭ１のサイズで記憶され、画像データＭＮは、画像メモリ部２ｂの抽出開始アドレス（ＸＭ１，ＹＭＮ）を基点に、表示高さＨＭ１、表示長さＷＭ１のサイズで記憶される。
【００６３】
次に、画像データ抽出部２ｄにより、画像メモリ部２ｂから画像データＭ１〜ＭＮを抽出する。
【００６４】
すなわち、画像データ抽出部２ｄでは、前記領域指定部２ｅの設定に従って画像データＭ１〜ＭＮを抽出し、当該抽出した画像データＭ１〜ＭＮを対応する各送出部２ｃ１〜２ｃｎへ向けて出力する。
【００６５】
上記までの処理により、送出部２ｃ１〜２ｃｎが画像データＭ１〜ＭＮを受け取ると、当該送出部２ｃ１〜２ｃｎは表示部Ｄ１〜ＤＮに対して当該画像データＭ１〜ＭＮの送出が行われ、一の横長スクリーンＤＷでは、映像データＣ１〜ＣＮに基づいた全面表示がなされる。
【００６６】
以上が、本実施の形態に係る映像表示システムの一連の動作である。
【００６７】
本実施の形態に係る映像表示システムでは、実施の形態１と同様の効果に加えて、以下の効果も得ることができる。
【００６８】
つまり、本実施の形態に係る映像表示システムでは、一台のＰＣ１により複数の表示部Ｄ１〜ＤＮに表示させる映像データＣ１〜ＣＮを作成・記憶させることができるので、図６に示すような従来の技術（一台のＰＣ１で、一台の表示部Ｄ１に表示させる映像データＣ１のみ作成・記憶）に係るシステムで発生していた、ＰＣ１上における記憶容量等の無駄という問題が生じなくなる。
【００６９】
また、従来の技術では、図７に示すようように、一台のＰＣ１で作成・記憶されている映像データＣ１を超横長の表示部Ｄ１に全面表示させた場合、映像データと表示部との相似形の要請を満たせば、画像が変形することはないが、画像の拡大率が大きすぎるため解像度が劣化してしまっていた。
【００７０】
しかし、本実施の形態では、一台のＰＣ１で作成・記憶されている複数の映像データＣ１〜ＣＮを、各表示部Ｄ１〜ＤＮに分割表示させ、当該表示部Ｄ１〜ＤＮを組み合わせることにより超横長スクリーンＤＷを構築し、当該超横長スクリーンＤＷにて一画面表示を構成しているので、１の映像データに対する１の表示部への拡大率を従来の技術と比して大幅に抑制することができ、解像度の劣化を防止することができる。
【００７１】
なお、任意の形状の表示部Ｄ１〜ＤＮを組み合わせて一の横長スクリーンを構成することもできるが、その場合、画像メモリ部２ｂに記憶される画像データＭ１〜ＭＮも各々異なる領域区分で記憶されることとなり、抽出処理が複雑になる。
【００７２】
しかし、本実施の形態では、同一形状・サイズの表示部Ｄ１〜ＤＮを組み合わせて一の横長スクリーンＤＷが構成されていることにより、画像メモリ２ｂに記憶される画像データＭ１〜ＭＮを水平方向に短冊状に配置させることができるので（一定の規則に従った配置に画像データＭ１〜ＭＮを記憶させることができるので）、画像データ抽出部２ｄ、領域指定部２ｅによる抽出処理を容易に行うことが可能となる。
【００７３】
＜実施の形態３＞
図８は、実施の形態３に係る映像表示システムの概略を示す図である。
【００７４】
図８において、ＰＣ１には、垂直方向に短冊状に配置された映像データＣ１〜ＣＮが作成・記憶されている。ここで、各映像データＣ１〜ＣＮの表示開始アドレスは（ＸＰ１，ＹＰ１）〜（ＸＰＮ，ＹＰ１）であり、当該映像データＣ１〜ＣＮは当該表示開始アドレスを基点として、表示高さＨＰ１、表示長さＷＰ１のサイズでそれぞれ記憶されている。
【００７５】
また、本実施の形態では、同一形状・サイズの表示部Ｄ１〜ＤＮを垂直方向に連続して連結することにより、一の縦長スクリーンＤＨを構成している。ここで、各映像データＣ１〜ＣＮの形状は、対応する表示部Ｄ１〜ＤＮの形状と相似形になるように作成される。例えば、映像データＣ１と表示部Ｄ１とは相似形であり、映像データＣ２と表示部Ｄ２とは相似形である。
【００７６】
以下、図８に示したシステム構成図を参照しながら、本実施の形態に係る映像表示システムの動作について具体的に説明する。
【００７７】
なお、予め領域指定部２ｅにおいて、抽出処理を行う位置およびサイズを入力することにより、画像メモリ部２ｂの抽出領域区分の指定を行う。
【００７８】
上記、表示開始アドレス、各表示サイズで垂直方向に短冊状に作成・記憶されている映像データＣ１〜ＣＮは、ＰＣ１においてアナログＲＧＢ信号やＤＶＩ信号などの各種映像信号用のフォーマットに変換された後に、表示コントローラ２へ伝送される。
【００７９】
さて、表示コントローラ２へ伝送された映像信号は、当該表示コントローラ２内に設けられたサンプリング部２ａにおいて、表１に示すようなＰＣ１の表示解像度と表示装置Ｄ１〜ＤＮ（表示コントローラ２において、表示部Ｄ１〜ＤＮに応じて予め設定される）の表示解像度とから決められるサンプリング周波数により、逐一サンプリングされる。
【００８０】
次に、サンプリングされた映像信号は、同じく表示コントローラ２内に設けられた画像メモリ部２ｂへ画像データＭ１〜ＭＮとして、垂直方向に短冊状に記憶される。ここで、画像データＭ１〜ＭＮは、ＰＣ１上における一画面分の映像データＣ１〜ＣＮに対応している。
【００８１】
例えば画像データＭ１は、画像メモリ部２ｂの抽出開始アドレス（ＸＭ１，ＹＭ１）を基点に、表示高さＨＭ１、表示長さＷＭ１のサイズで記憶され、画像データＭ２は、画像メモリ部２ｂの抽出開始アドレス（ＸＭ２，ＹＭ１）を基点に、表示高さＨＭ１、表示長さＷＭ１のサイズで記憶され、画像データＭＮは、画像メモリ部２ｂの抽出開始アドレス（ＸＭＮ，ＹＭ１）を基点に、表示高さＨＭ１、表示長さＷＭ１のサイズで記憶される。
【００８２】
次に、画像データ抽出部２ｄにより、画像メモリ部２ｂから画像データＭ１〜ＭＮを抽出する。
【００８３】
すなわち、画像データ抽出部２ｄでは、前記領域指定部２ｅの設定に従って画像データＭ１〜ＭＮを抽出し、当該抽出した画像データＭ１〜ＭＮを対応する各送出部２ｃ１〜２ｃｎへ向けて出力する。
【００８４】
次に、上記までの処理により、送出部２ｃ１〜２ｃｎが画像データＭ１〜ＭＮを受け取ると、当該送出部２ｃ１〜２ｃｎは表示部Ｄ１〜ＤＮに対して当該画像データＭ１〜ＭＮの送出が行われ、一の縦長スクリーンＤＨでは、映像データＣ１〜ＣＮに基づいた全面表示がなされる。
【００８５】
以上が、本実施の形態に係る映像表示システムの一連の動作である。
【００８６】
これにより、本実施の形態に係る映像表示システムでは、縦長のスクリーンを用いて実施の形態１および実施の形態２に記載した効果と同様な効果を得ることができる。
【００８７】
実施の形態２，３では、特定の形状の表示画面（縦・横長スクリーンＤＷ，ＤＨ）に限定して話を進めてきたが、表示部Ｄ１〜ＤＮを任意に組み合わせて大型の表示画面を構成したときにも、本発明を適用することができることは言うまでもない。この場合、画像メモリ部２ｂには、各々異なる形状からなる画像データＭ１〜ＭＮが記憶されることとなる。
【００８８】
＜実施の形態４＞
図９は、実施の形態４に係る映像表示システムの概略を示す図である。
【００８９】
図９において、ＰＣ１には映像データＣ１が作成・記憶されている。ここで、映像データＣ１の表示開始アドレスは（ＸＰ１，ＹＰ１）であり、当該映像データＣ１は当該表示開始アドレスを基点として、表示高さＨＰ１、表示長さＷＰ１のサイズで記憶されている。
【００９０】
また、本実施の形態では、複数の同一形状・サイズの表示部Ｄ１〜ＤＮが、それぞれ独立して用意されている。ここで、映像データＣ１は表示部Ｄ１〜ＤＮで共通に表示されるデータである。また、映像データＣ１の形は、対応する表示部Ｄ１〜ＤＮの形と相似形になるように作成される。
【００９１】
以下、図９に示したシステム構成図を参照しながら、本実施の形態に係る映像表示システムの動作について具体的に説明する。
【００９２】
なお、予め領域指定部２ｅにおいて、抽出処理を行う位置およびサイズを入力することにより、画像メモリ部２ｂの抽出領域区分の指定を行う。
【００９３】
上記、表示開始アドレス、各表示サイズで作成・記憶されている映像データＣ１は、ＰＣ１においてアナログＲＧＢ信号やＤＶＩ信号などの各種映像信号用のフォーマットに変換された後、表示コントローラ２へ伝送される。
【００９４】
さて、表示コントローラ２へ伝送された映像信号は、当該表示コントローラ２内に設けられたサンプリング部２ａにおいて、表１に示すようなＰＣ１の表示解像度と表示装置Ｄ１〜ＤＮ（表示コントローラ２において、表示部Ｄ１〜ＤＮに応じて予め設定される）の表示解像度とから決められるサンプリング周波数により、逐一サンプリングされる。
【００９５】
次に、サンプリングされた映像信号は、同じく表示コントローラ２内に設けられた画像メモリ部２ｂへ画像データＭ１として記憶される。ここで、画像データＭ１は、ＰＣ１上における一画面分の映像データＣ１に対応している。
【００９６】
具体的に画像データＭ１は、画像メモリ部２ｂの抽出開始アドレス（ＸＭ１，ＹＭ１）を基点に、表示高さＨＭ１、表示長さＷＭ１のサイズで記憶される。
【００９７】
次に、画像データ抽出部２ｄにより、画像メモリ部２ｂから画像データＭ１の抽出する。
【００９８】
すなわち、画像データ抽出部２ｄでは、前記領域指定部２ｅの設定に従って画像データＭ１を抽出し、当該抽出した画像データＭ１を複数の送出部２ｃ１〜２ｃｎへ出力する。
【００９９】
次に、上記までの処理により、送出部２ｃ１〜２ｃｎが画像データＭ１を受け取ると、当該送出部２ｃ１〜２ｃｎは表示部Ｄ１〜ＤＮに対して当該画像データＭ１の送出が行われ、それぞれの表示部Ｄ１〜ＤＮにおいて、映像データＣ１に基づいた全面表示が同時になされる。
【０１００】
以上が、本実施の形態に係る映像表示システムの一連の動作である。
【０１０１】
以上により、本実施の形態に係る映像表示システムでは、一元管理の下、簡易なシステムにより同一の映像情報を複数の場所で同時に表示させることができる。
【０１０２】
【発明の効果】
本発明の請求項１に記載の映像表示システムは、映像情報を表示する複数の表示部と、前記表示部に表示させるための映像データを作成し、記憶するコンピュータ装置と、前記コンピュータ装置に記憶されている前記映像データを処理し、前記表示部に表示させるための画像データとして送出する表示コントローラとを、有する映像表示システムにおいて、前記表示コントローラは、前記画像データを記憶する画像メモリ部と、前記画像データを前記表示部に対して送出する複数の送出部と、前記画像メモリ部上の任意の領域を指定する領域指定部と、前記領域指定部の指定に従い前記画像メモリ部から前記画像データを抽出し、当該抽出した画像データを前記複数の送出部へ出力する画像データ抽出部とを、備えているので、一台のコンピュータ装置と一台の表示コントローラにより、あらゆる形状の複数の表示部に映像情報を同時に表示させることができる。したがって、映像データの１台のコンピュータ装置による一元管理が可能となり、当該映像データの変更作業が容易となる。さらに、無駄なコンピュータ装置やそれを接続するネットワーク等が不要なるので、簡易でコストのかからない映像表示システムを提供することが可能となる。
【図面の簡単な説明】
【図１】実施の形態１に係る映像表示システムの構成を示す概略図である。
【図２】画像が変形する様子を示す図である。
【図３】動画を構成する映像データ群を模式的に示した図である。
【図４】実施の形態２に係る映像表示システムの構成を示す概略図である。
【図５】ＰＣの画面と横長スクリーンの画面との関係を説明するための図である。
【図６】従来技術に係る映像表示システムの問題を説明するための図である。
【図７】従来技術に係る映像表示システムの問題を説明するための図である。
【図８】実施の形態３に係る映像表示システムの構成を示す概略図である。
【図９】実施の形態４に係る映像表示システムの構成を示す概略図である。
【符号の説明】
１  パーソナルコンピュータ装置（ＰＣ）、２  表示コントローラ、２ａ  サンプリング部、２ｂ  画像メモリ部、２ｃ１〜２ｃｎ  送出部、２ｄ  画像データ抽出部、２ｅ  領域指定部、Ｃ１〜ＣＮ  映像データ、Ｍ１〜ＭＮ  画像データ、Ｄ１〜ＤＮ  表示部、ＤＷ  横長スクリーン、ＤＨ  縦長スクリーン。
【図１】
2004205756.tif 000005
【図２】
2004205756.tif 000006
【図３】
2004205756.tif 000007
【図４】
2004205756.tif 000008
【図５】
2004205756.tif 000009
【図６】
2004205756.tif 000010
【図７】
2004205756.tif 000011
【図８】
2004205756.tif 000012
【図９】
2004205756.tif 000013